(57)【要約】      （修正有）【課題】通信アナライザなどの測定器を接続することなく、ＤＴＥインタフェースのトレースログを取得することが可能なデータ通信用無線端末を提供する。【解決手段】無線通信によって基地局と通信を行う通信部と、他の外部装置に接続されデータを入出力する入出力処理部と、上記入出力処理部により入出力されるデータを記憶する記憶部と、上記入出力処理部や上記記憶部および上記通信部を制御する制御部とを具備し、上記制御部は、上記通信部により受信した上記外部装置の動作状態のデータ取得要求に応じて上記入出力処理部から上記外部装置の動作状態のデータを取得し上記記憶部へ記憶した後に上記通信部を介して無線により上記記憶部に記憶した上記外部装置の動作状態のデータを送信する、ことを特徴とする無線通信端末。【選択図】図２
2011004337.tif 000002
【特許請求の範囲】
【請求項１】
無線通信によって基地局と通信を行う通信部と、
他の外部装置に接続されデータを入出力する入出力処理部と、
上記入出力処理部により入出力されるデータを記憶する記憶部と、
上記入出力処理部や上記記憶部および上記通信部を制御する制御部とを具備し、
上記制御部は、上記通信部により受信した上記外部装置の動作状態のデータ取得要求に応じて上記入出力処理部から上記外部装置の動作状態のデータを取得し上記記憶部へ記憶した後に上記通信部を介して無線により上記記憶部に記憶した上記外部装置の動作状態のデータを送信する、
ことを特徴とした無線通信端末。
【発明の詳細な説明】
【技術分野】
【０００１】
本発明は、データ端末装置と無線により接続され通信を行う無線通信端末に関し、特に、データ通信で使用する無線通信端末のトレースを行う技術に関する。
【背景技術】
【０００２】
近年、データ通信用の無線通信端末（以下、データ通信用無線端末と記載する）が自動販売機、ＰＤＡ（Ｐｅｒｓｏｎａｌ  Ｄｉｇｉｔａｌ  Ａｓｓｉｓｔａｎｔｓ）、携帯ＰＯＳ（Ｐｏｉｎｔ  ｏｆ  Ｓａｌｅ）端末、カーテレマティクスなどの様々な機器に内蔵されて使用されており、機器の稼働情報や保守情報等各種の情報収集をデータ通信用無線端末から通信網を介し、外部機器であるＰＣ等のデータ管理装置によって、ＡＴコマンドなどの制御コマンドでデータ管理される無線通信システムが利用されてきている。（例えば特許文献１を参照。）
【０００３】
データ通信用無線端末が内蔵される自動販売機やＰＤＡなどは制御機器と呼ばれ、データ通信用無線端末と制御機器との間は、ＤＴＥ（Ｄａｔａ  Ｔｅｒｍｉｎａｌ  Ｅｑｕｉｐｍｅｎｔ）インタフェースと呼ばれるインタフェースで接続されており、その接続にはＲＳ２３２Ｃ（Ｒｅｃｏｍｍｅｎｄｅｄ  Ｓｙｓｔｅｍ  ２３２Ｃ）やＵＳＢ（Ｕｎｉｖｅｒｓａｌ  Ｓｅｒｉａｌ  Ｂｕｓ）などが使用されている。
【先行技術文献】
【特許文献】
【０００４】
【特許文献１】特開２００７−３２８６００号公報
【発明の概要】
【発明が解決しようとする課題】
【０００５】
このような無線通信システムでは、制御機器のデータを管理するために、外部機器のデータ通信用無線端末の制御ソフトウェアの開発時、開発中の安定化試験等の実施時、実運用時の問題を分析するときに、ＤＴＥインタフェースにＲＳ２３２Ｃのデータ送受信を記録できるシリアル通信アナライザやＵＳＢのデータ送受信を記録するＵＳＢプロトコルアナライザなどの測定器を接続し、送受信データのログを確認する場合がある。
【０００６】
図７は従来の技術におけるデータトレース時の装置構成を示した図である。
制御機器１０７には、ＤＴＥ制御基板１０８とデータ通信用無線端末９０１が内蔵されており、ＤＴＥ制御基板１０８とデータ通信用無線端末７０１との間にはシリアル通信アナライザ又はＵＳＢプロトコルアナライザ７０２が接続されている。
【０００７】
図７において、外部機器よりＡＴコマンドなどの制御コマンドをデータ通信用無線端末９０１が通信網を介して受信すると、受信したＡＴコマンドの内容に応じてＤＴＥ制御基板１０８から所定のデータ情報が返信される。シリアル通信アナライザ又はＵＳＢプロトコルアナライザ９０２ではこれらのやり取りをモニタリングし、モニタデータのファイル出力を行う。
【０００８】
ここで、上述のシリアル通信アナライザやＵＳＢプロトコルアナライザをＤＴＥインタフェースとデータ通信用無線端末との間に接続して外部機器によりデータを取得する場合、制御機器の種類によっては機器が小型であるためにこれらの測定器を接続する場所が確保できないことがあった。
【０００９】
また、実運用時に発生した問題の調査のために測定器を接続する場合には、通常の運用状態でデータを取得することが望まれるが、測定器自体の電源の確保や設置場所の確保といった測定器を接続するための制約が生じてしまうため、通常運用時のデータ取得が困難であった。
【００１０】
さらに、シリアル通信アナライザやＵＳＢプロトコルアナライザは汎用であるためにＤＴＥインタフェースの信号のみの取得が一般的であり、データ通信用無線端末で使用する場合にはＤＴＥインタフェースと無線状態の情報といった複数のデータを得るために無線インタフェースのログを取得し解析する無線インタフェースのメンテナンスツールを接続する必要があった。
【００１１】
したがって、本発明の目的は上記のような課題を解決し、通信アナライザなどの測定器を接続することなく、ＤＴＥインタフェースのトレースログを取得することが可能なデータ通信用無線端末を提供することにある。
【００１２】
また、本発明の他の目的は、取得した無線インタフェースの情報のうち、データ通信に関連する情報をＤＴＥインタフェースの情報と共にログとして記憶することで双方のデータを１つのログとして時系列的に記憶することが可能なデータ通信用無線端末を提供することにある。
【課題を解決するための手段】
【００１３】
上記目的を達成するため、請求項１に記載の無線通信端末は、無線通信によって基地局と通信を行う通信部と、他の外部装置に接続されデータを入出力する入出力処理部と、上記入出力処理部により入出力されるデータを記憶する記憶部と、上記入出力処理部や上記記憶部および上記通信部を制御する制御部とを具備し、上記制御部は、上記通信部により受信した上記外部装置の動作状態のデータ取得要求に応じて上記入出力処理部から上記外部装置の動作状態のデータを取得し上記記憶部へ記憶した後に上記通信部を介して無線により上記記憶部に記憶した上記外部装置の動作状態のデータを送信する、ことを特徴とする。
【発明の効果】
【００１４】
本発明によると、通信アナライザなどの測定器を接続する必要がなくなるため、制御機器の種類や大きさに関係なく、ＤＴＥインタフェースのトレースログを取得することが可能となり、さらに取得した無線インタフェースの情報のうち、データ通信に関連する情報を取得済みであるＤＴＥインタフェースの情報と共にログとして記憶することが可能となるため、双方のデータを１つのログとして時系列的に記憶することができる。
【図面の簡単な説明】
【００１５】
【図１】本発明におけるデータ通信用無線端末を用いて構成される無線通信システムの一実施例の概略構成を示した図。
【図２】本発明におけるデータ通信用無線端末を詳細に示したブロック図。
【図３】本発明におけるデータ通信用無線端末のメモリ部を詳細に示した図。
【図４】本発明におけるデータトレース時のデータ通信用無線端末の動作フローを示した図。
【図５】本発明におけるデータ通信用無線端末のメモリ部に記憶する情報を示した図。
【図６】本発明におけるデータ通信用無線端末のメモリ部に記憶された情報を解析した図。
【図７】従来の技術におけるデータトレース時の制御機器と測定器の概略構成を示した図。
【発明を実施するための形態】
【００１６】
以下、本発明の実施形態について図面を用いて詳細に説明する。
【００１７】
図１は本発明における、データ通信用無線端末を用いて構成される無線通信システムの一実施例の概略構成を示した図である。
図１において、１０１は管理センタであり、管理センタ１０１内には、送信されてくるデータを管理するための管理端末１０２−１、１０２−２、および、ルータ１０３が設置されている。また、ルータ１０３には通信網１０４が接続されており通信できるようになっている。さらに通信網１０４には交換機１０５が接続されており、交換機１０５には基地局１０６が接続されている。基地局１０６は、制御機器１０７−１、１０７−２と無線通信により通信データの授受を行うことが可能となっている。
また、制御機器１０７−１、１０７−２は、それぞれＤＴＥ制御基板１０８−１、１０８−２とデータ通信用無線端末１０９−１、１０９−２が内蔵されており、管理端末１０２−１、１０２−２の指示に応じて、若しくは所定のタイミングにて、取得しているデータを管理センタ１０１へと送信する。
なお、管理端末を代表して説明するときには管理端末１０２と称することとし、制御装置や、ＤＴＥ制御基板、データ通信用無線端末についても同様に制御装置１０７、ＤＴＥ制御基板１０８、データ通信用無線端末１０９と称して説明する。
さらに本実施例では説明の簡便化の為に管理端末や基地局、無線端末、データ端末装置を図のように示したが、これに限定されるものでなく、例えば基地局をさらに多く（あるいは少なく）設置しても良いし、管理端末や無線通信端末やデータ端末装置をさらに多く（あるいは少なく）設けるようにしても良いことは言うまでもない。
【００１８】
具体的には、例えば制御機器１０７が自動販売機とし、管理端末１０２およびルータ１０３が自動販売機を管理する管理会社等の建物（図１における管理センタ１０１に相当する）のＬＡＮ等に接続されて設置されているとする。
この場合、自動販売機を管理するために、管理端末１０２−１から在庫等を確認するためのデータが出力されると、通信網１０４、交換機１０５、基地局１０６を介して制御機器１０７−１、１０７−２に内蔵されている無線通信端末１０９−１、１０９−２からＤＴＥ制御基板１０８−１、１０８−２に管理端末１０２−１が出力した在庫を確認するためのデータが受信される。在庫等を確認するためのデータを受信したＤＴＥ制御基板１０８−１、１０８−２は、自動販売機内の例えば、飲料やタバコ等の在庫等を確認して、その結果のデータを無線通信端末１０９に出力し、無線通信端末１０９から基地局１０６交換機１０５及び通信網１０４を介して管理会社の１０２−１に受信される。このようにして、管理会社等の管理端末１０２が、自動販売機等のデータ端末装置１０８を遠隔で管理することが可能となる。
【００１９】
本発明における無線通信端末について図２および図３を用いて説明する。
図２は本発明におけるデータ通信用無線端末を詳細に示したブロック図であり、図３は本発明におけるデータ通信用無線端末のメモリ部を詳細に示した図である。
【００２０】
図２において、２０１はアンテナ、２０２は管理センタから送信された制御機器を制御するための制御コマンドを受信したり、受信した制御コマンドに対する処理結果を送信したりするための通信部、２０３はＣＰＵやＤＳＰ（Ｄｉｇｉｔａｌ  Ｓｉｇｎａｌ  Ｐｒｏｃｅｓｓｏｒ）などの演算装置によりデータ通信用無線端末の各種制御を行うための制御部である。また制御部２０３には、入力部２０４により入力された入力結果を通知するための操作処理部２０５、制御部２０３からの指示によりＬＥＤなどの表示部２０６に表示を行う表示処理部２０７、例えば、管理端末１０２から受信した制御コマンドに応じて、ＡＴコマンドのような制御コマンドを入出力することでＤＴＥ２１２との通信を行う入出力処理部２０８、および、各種動作プログラムやトレースしたＤＴＥインタフェース情報、取得した無線インタフェースの情報のうちのデータ通信に関連する情報などを記憶するための記憶部２１１が接続されている。
【００２１】
記憶部２１１には、ＡＴコマンドのような制御コマンドを出力するための制御ソフトウェアやＤＴＥトレースのデータ、取得した無線インタフェースの情報のうちのデータ通信に関連する情報を記憶するための例えばＦｌａｓｈＲＯＭのような不揮発性メモリ２０９と、制御ソフトウェアやＤＴＥトレースのワークメモリとして使用するＲＡＭのような揮発性メモリ２１０が設けられており、制御部２０３からのアクセスにより所定の動作を行う。
【００２２】
本発明の動作について図３、図４、図５、図６を用いて説明する。
図３は本発明におけるデータ通信用無線端末のメモリ部を詳細に示した図であり、図４は本発明におけるデータトレース時のデータ通信用無線端末の動作フローを示した図、図５は本発明におけるデータ通信用無線端末のメモリ部に記憶する情報を示した図、図６は本発明におけるデータ通信用無線端末のメモリ部に記憶された情報を解析した図である。
【００２３】
図３において、３０１はデータ通信用無線端末１０９が基地局１０６と通信を行うためのデータ通信を行うためのデータ通信用無線端末ソフトウェア、３０２はＤＴＥからの受信したデータをトレースするためのＤＴＥトレースソフトウェアであり、それぞれ、ＦｌａｓｈＲＯＭなどの不揮発性メモリ２０９に記憶されている。また、３０３はデータ通信用無線端末ソフトウェアを動作させるためのワークメモリであるデータ通信用無線端末メモリ、３０４はＤＴＥトレースソフトウェアを動作させるためにデータ通信用無線端末メモリ内の一部領域を使用するワークメモリのＤＴＥトレースメモリである。
ここで、データ通信用無線端末ソフトウェア３０１とＤＴＥトレースソフトウェア３０２は、不揮発性メモリ２０９に記憶されており、データ通信用無線端末３０３とＤＴＥトレースメモリ３０４は揮発性メモリ２１０に記憶され動作する。
【００２４】
例えば、通常、データ通信用無線端末ソフトウェア３０１がワークメモリであるデータ通信用無線端末メモリ３０３によって動作しており、制御機器１０７が基地局１０６や交換機１０５を介して管理端末１０２とデータの送受信を行っており、ＤＴＥトレースソフトウェア３０２は動作していない。
このとき、制御機器１０７に予め設定してあるイベントが生じると、ＤＴＥトレースソフトウェア３０２がＤＴＥトレースメモリ３０４により、制御機器に生じたイベントの記憶要求の有無を確認する（Ｓ１）。記憶要求が無い場合には通常の動作に戻り、記憶要求があった場合にはそのイベント内容が記憶部２１１に記憶することの要否を判断する（Ｓ２）。イベント内容が記憶部２１１に記憶する必要が無い場合には、記憶せずに通常の動作に戻る。記憶要求のあったイベント内容が記憶部２１１に記憶する必要がある場合には、図５に示すように、メモリ消費を少なくするためイベント名をイベントＩＤに置き換えて記憶部２１１に記憶する。具体的には、ＤＴＥトレースログの開始点であるイベント名「記録開始」をイベントＩＤ「００００」に置き換える。同様に、ＤＴＥトレースソフトウェアのプログラム内容に応じてＤＴＥインタフェースと無線インタフェースのデータ通信に関連する発生イベントをイベントＩＤに置き換えて、ＤＴＥトレースログの終了点であるイベント名「記録終了」が生じるまで、随時記憶部２１１に記憶される。
ここで、イベントＩＤの付与方法としては、記憶開始のイベントが生じてから記録終了のイベントが生じるまでの間、通し番号としてイベントＩＤを付与しても良いし、予め記憶部内に所定のイベントに共通のＩＤを割当てておくことでイベントＩＤを付与することとしても良い。
また、記憶部２１１に記憶される各種イベントＩＤやトレースログ等のデータは、不揮発性メモリ２０９と揮発性メモリ２１０のどちらに記憶されても良いことは言うまでもない。
【００２５】
ＤＴＥトレースログが終了し、記憶部２１１にイベントが記憶されると、データ通信用無線端末１０９は通常の動作に戻り、管理端末１０２から送信されてきたトレースログのデータ送信要求に応じて、記憶したＤＴＥインタフェースのトレースログと、無線インタフェースのデータ通信に関連するログの双方を管理端末１０２へと送信する。データ通信用無線端末１０９によりＤＴＥインタフェースのトレースログと無線インタフェースのデータ通信に関連するログデータが送信されると、管理端末１０２では図６に示すようにイベントＩＤを翻訳し、イベント名に戻すことで管理端末１０２の表示部に表示する。
ここで、本実施例では、イベント名の他にイベントＩＤに付随する情報と時刻情報を表示しているが、これに限定されることなく、必要に応じて変更することが可能であることは言うまでもなく、また、管理端末１０２からのトレースログデータの送信要求が無くとも、制御機器１０７に記憶されたトレースログの記憶容量が一定量を超えた場合や、一定時間経過した場合などにポーリング等の手法により制御機器１０７から自動的に管理端末１０２へトレースログデータを送信することとしても良いことは言うまでもない。
さらに、本実施例では、ＤＴＥトレースログの記憶手段を有するデータ通信用無線端末を使用して説明したが、システムの運用に応じて、通常はＤＴＥトレース機能を有さないすなわち、ＤＴＥトレースソフトウェア３０２とＤＴＥトレースメモリ３０４を持たないデータ通信用無線端末を使用し、必要に応じてＤＴＥトレース機能を有するデータ通信用無線端末と交換することでトレースログを取得するようにし、コスト低下を図れるようにしても良い。
さらに、本実施例では、ＤＴＥトレースログの取得方法として、通信部２０２を用いて管理端末１０２の指示要求に応じて記憶部２１１に記憶されたトレースログを取得するように説明したが、他にも入出力処理部２０８にトレースログデータ取得のための装置を接続して、データ通信用無線端末からデータを取得するようにしても良い。
【００２６】
以上のように、本発明の実施の形態によると、データ通信無線端末とデータ端末装置（ＤＴＥ）との間のトレース（ＤＴＥトレース）を専用の機器を使用せずに取得することが可能となり、専用の機器を接続する必要が生じなくなるため、トレース取得のための専用装置設置の空間を確保する必要がなく、装置の小型化が可能となり装置への設置が容易となる。
【００２７】
また、本発明の実施の形態によると、ＤＴＥトレースメモリを既存のメモリ領域の一部を使用することで、本機能を追加することによるハードウェアの変更を無くすことが可能となる。
【００２８】
さらに、本発明の実施の形態によると、ＤＴＥトレースはデータ通信用無線端末の空きリソースを使用して追加することが可能であるが、空きリソースに余裕がない場合は既存の機能の中で機能制限を行い、リソースを捻出した上で本機能を追加することも可能であり、空きリソースに余裕がある場合は、本機能を常に組み込んでおき、フラグで動作を制御することも可能となる。
【符号の説明】
【００２９】
２０１・・・アンテナ、２０２・・・通信部、２０３・・・制御部、２０４・・・入力部、２０５・・・操作処理部、２０６・・・表示部、２０７・・・表示処理部、２０８・・・入出力処理部、２０９・・・不揮発性メモリ、２１０・・・揮発性メモリ、２１１・・・記憶部。
【図１】
2011004337.tif 000003
【図２】
2011004337.tif 000004
【図３】
2011004337.tif 000005
【図４】
2011004337.tif 000006
【図５】
2011004337.tif 000007
【図６】
2011004337.tif 000008
【図７】
2011004337.tif 000009